(57)【特許請求の範囲】
【請求項１】
発光素子を備えた光送信部、受光素子を備えた光受信部、及び前記発光素子及び受光素子を光学的に接続する光伝送媒体を有し、
前記光受信部は、
前記受光素子が受光した光から変換された電気信号より、前記光送信部の発光素子の光出力を調整するためのバイアス電流を発生させる電流源と、
前記受光素子で受光した光の強度を計測し、該計測値に基づいて前記電流源によって発生させるバイアス電流の大きさを制御する誤差検出器と、
前記誤差検出器と電流源との間に設けられたローパスフィルタとを備えており、
さらに、前記バイアス電流を前記電流源から前記発光素子へ有線方式により伝送する電気伝送手段を有する
ことを特徴とする光伝送装置。
【請求項２】
前記受光素子で受光した光強度の平均値を算出する平均値算出器を前記光受信部に備えることを特徴とする請求項１に記載の光伝送装置。
【請求項３】
前記光送信部にインピーダンス整合器を備えることを特徴とする請求項１または２に記載の光伝送装置。
【請求項４】
前記光受信部にインピーダンス整合器を備えることを特徴とする請求項１〜３のいずれか一項に記載の光伝送装置。
【請求項５】
前記光受信部に、トランスインピーダンスアンプを備え、前記受光素子、トランスインピーダンスアンプ、ローパスフィルタ及び誤差検出器がこの順序で配置されていることを特徴とする請求項１〜４のいずれか一項に記載の光伝送装置。
【請求項６】
前記光送信部において、電気伝送手段と発光素子との間にローパスフィルタを備えることを特徴とする請求項１〜５のいずれか一項に記載の光伝送装置。
【請求項７】
前記光送信部への外部からの入力信号が差動入力信号であることを特徴とする請求項１〜６のいずれか一項に記載の光伝送装置。
【請求項８】
前記光送信部において、電気伝送手段と発光素子との間に保護回路を備えることを特徴とする請求項１〜７のいずれか一項に記載の光伝送装置。
【請求項９】
前記光伝送媒体及び電気伝送手段として、これらが一体化された光電気複合ケーブル、基板上に光導波路及び前記電気伝送手段が設けられた光電気複合配線基板、又は金属を被覆した光導波路を有することを特徴とする請求項１〜８のいずれか一項に記載の光伝送装置。
【請求項１０】
前記光送信部及び前記光受信部がそれぞれ導電性のパッケージで気密封止され、前記電気伝送手段がそれぞれのパッケージに電気的に接続されていることを特徴とする請求項１〜９のいずれか一項に記載の光伝送装置。
【発明の詳細な説明】
【技術分野】
【０００１】
本発明は、機器内や機器間といった比較的短い距離を、光通信によって情報伝送するのに好適な、光半導体と伝送路を備えた光伝送装置に関する。このような短距離の光通信は、将来的にサーバ・ルータなどの高速データ転送装置、自動車、携帯電話、業務用複写機、ゲーム機といった分野に適用されると考えられる。
【背景技術】
【０００２】
従来の光伝送装置を図２４に示す。
ここに示す光伝送装置９は、発光素子６２を備える光送信部６Ａと、受光素子７３を備える光受信部７Ａと、前記発光素子６２及び受光素子７３を光学的に結合する光伝送媒体８とを有する。ここで、発光素子６２としてはレーザダイオードが、受光素子７３としてはフォトダイオードがそれぞれ例示できる。また、光伝送媒体としては、光ファイバや高分子導波路等が用いられる。
そして、光送信部６Ａは、さらに発光素子６２の発光を制御するレーザ駆動ＩＣ等の駆動回路６７等を備える。また、光受信部７Ａは、さらにトランスインピーダンスアンプ（ＴＩＡ）７６、リミッティングアンプ７１等を備える。
【０００３】
このような光伝送装置９は、典型的には以下のように動作する。すなわち、外部からの入力信号に対し、光送信部６Ａの駆動回路６７は、発光素子６２への供給電流を変化させ、発光素子６２はそれに応じて変化する光を出力する。光受信部７Ａの受光素子７３は、出力された光を受信して、その受光強度に応じた電流を発生し、トランスインピーダンスアンプ７６はその入力電流を電圧に変換した後、それを増幅させて出力する。そして、リミッティングアンプ７１は、トランスインピーダンスアンプ７６から出力された信号を増幅し、光伝送装置９の外部へ一定振幅の信号を出力する。
【０００４】
光伝送装置において、レーザダイオード等の発光素子は、光出力が経年劣化するほか、温度に対する出力変動が大きいので、安定な通信を可能にするため、様々な手段が採られてきた。
例えば、特許文献１で開示されている光伝送装置は、図２５に例示するように、光送信部６Ｂが、前記駆動回路６７及び発光素子６２に加え、さらにフォトダイオード等のモニタ用受光素子６３、トランスインピーダンスアンプ６６及び差分回路６８を備える。前記モニタ用受光素子６３は、発光素子６２近傍に備えられ、発光素子６２から出力された光の一部を受信して、その受光強度に応じた電流を発生し、トランスインピーダンスアンプ６６はその入力電流を電圧に変換した後、それを増幅させて出力する。出力された受光電圧は、差分回路６８で予め設定された電圧値と比較され、差分の電圧が差分回路６８より出力される。
このような構成とすることで、光伝送装置は、モニタ用受光素子６３で検知した受光強度をフィードバックし、発光素子６２を駆動する駆動電流を変化させて、発光素子６２の出力光強度を安定して維持する。
【０００５】
特許文献２で開示されている光伝送装置は、図２６に示すように、光送信部６Ｃが、前記駆動回路６７及び発光素子６２に加え、さらに温度検知手段６９を備える。該温度検知手段６９は、発光素子６２近傍に配置され、発光素子６２周囲の温度を検知し、あらかじめ記憶させておいた情報と照合して補正電流値を算出し、駆動電流を変化させる。
このような構成とすることで、光伝送装置は、発光素子６２周囲で温度が変化しても、発光素子６２の出力光強度を安定して維持する。
【０００６】
特許文献３で開示されている光伝送装置は、図２７に示すように、光受信部７Ｂが、前記リミッティングアンプ７１に代わり、レベル検出器７９及び差分回路７８を備える。これは通常、ＡＧＣ（Ａｕｔｏ  Ｇａｉｎ  Ｃｏｎｔｒｏｌ）回路と称される。
このような構成とすることで、光伝送装置は、レベル検出器７９が検知した受光素子７３の受光強度に基づいて、信号光強度やトランスインピーダンスアンプ７６の増倍率を変化させて、受光強度が変動しても外部への出力信号を安定して維持する。
【特許文献１】特開２００５−０１２５２０号公報
【特許文献２】特開平１０−０４１５７５号公報
【特許文献３】特開２００３−３１８６８１号公報
【発明の開示】
【発明が解決しようとする課題】
【０００７】
しかし、特許文献１で開示されている光伝送装置においては、光伝送媒体である高分子導波路に発光素子が搭載されたような光電気複合基板を用いる場合、通常、発光素子モニタ用の受光素子を実装する領域が得られないという問題点がある。また、仮にこのような領域が確保できたとしても、さらにトランスインピーダンスアンプが必要であり、光送信部の構成が複雑になり、装置の小型化が困難であるだけでなく、コスト高になるという問題点がある。
特許文献２で開示されている光伝送装置においては、光送信部に別途、温度検知手段が必要であり、コスト高になるという問題点がある。また、発光素子の経年劣化による発光強度の変動に対して、通信の安定化がはかれないという問題点がある。
特許文献３で開示されている光伝送装置においては、ＡＧＣ回路が広いダイナミックレンジを有するように、常に過剰なゲインを準備する必要から、消費電力が大きくなるという問題点がある。また、光受信部の構成が複雑になり、装置の小型化が困難であるだけでなく、コスト高になるという問題点がある。
機器内や機器間といった比較的短い距離に適用する光伝送装置には、小型化及び低コスト化が求められ、形状にも様々な制約が課されるが、上記のような通信を安定化できる従来の光伝送装置では、このような課題に対して十分な対策が講じられていないのが実情である。
【０００８】
本発明は上記事情に鑑みてなされたものであり、小型かつ安価で、安定な通信が可能な光伝送装置を提供することを課題とする。
【課題を解決するための手段】
【０００９】
前記課題を解決するため、
請求項１にかかる発明は、発光素子を備えた光送信部、受光素子を備えた光受信部、及び前記発光素子及び受光素子を光学的に接続する光伝送媒体を有し、前記光受信部は、前記受光素子が受光した光から変換された電気信号より、前記光送信部の発光素子の光出力を調整するためのバイアス電流を発生させる電流源と、前記受光素子で受光した光の強度を計測し、該計測値に基づいて前記電流源によって発生させるバイアス電流の大きさを制御する誤差検出器と、前記誤差検出器と電流源との間に設けられたローパスフィルタとを備えており、さらに、前記バイアス電流を前記電流源から前記発光素子へ有線方式により伝送する電気伝送手段を有することを特徴とする光伝送装置である。
請求項２にかかる発明は、前記受光素子で受光した光強度の平均値を算出する平均値算出器を前記光受信部に備えることを特徴とする請求項１に記載の光伝送装置である。
請求項３にかかる発明は、前記光送信部にインピーダンス整合器を備えることを特徴とする請求項１または２に記載の光伝送装置である。
請求項４にかかる発明は、前記光受信部にインピーダンス整合器を備えることを特徴とする請求項１〜３のいずれか一項に記載の光伝送装置である。
請求項５にかかる発明は、前記光受信部に、トランスインピーダンスアンプを備え、前記受光素子、トランスインピーダンスアンプ、ローパスフィルタ及び誤差検出器がこの順序で配置されていることを特徴とする請求項１〜４のいずれか一項に記載の光伝送装置である。
請求項６にかかる発明は、前記光送信部において、電気伝送手段と発光素子との間にローパスフィルタを備えることを特徴とする請求項１〜５のいずれか一項に記載の光伝送装置である。
請求項７にかかる発明は、前記光送信部への外部からの入力信号が差動入力信号であることを特徴とする請求項１〜６のいずれか一項に記載の光伝送装置である。
請求項８にかかる発明は、前記光送信部において、電気伝送手段と発光素子との間に保護回路を備えることを特徴とする請求項１〜７のいずれか一項に記載の光伝送装置である。
請求項９にかかる発明は、前記光伝送媒体及び電気伝送手段として、これらが一体化された光電気複合ケーブル、基板上に光導波路及び前記電気伝送手段が設けられた光電気複合配線基板、又は金属を被覆した光導波路を有することを特徴とする請求項１〜８のいずれか一項に記載の光伝送装置である。
請求項１０にかかる発明は、前記光送信部及び前記光受信部がそれぞれ導電性のパッケージで気密封止され、前記電気伝送手段がそれぞれのパッケージに電気的に接続されていることを特徴とする請求項１〜９のいずれか一項に記載の光伝送装置である。
【発明の効果】
【００１０】
本発明によれば、光伝送装置の小型化、低コスト化及び消費電力の低減を実現できる。また、受光素子の受光強度から対応する発光素子の発光強度を判断し、フィードバック制御することで、通信を安定化できる。
【発明を実施するための最良の形態】
【００１１】
以下、本発明について図面を参照しながら詳しく説明する。
（第1の実施形態）
図１は、本発明の第１の実施形態に係る光伝送装置を例示する概略構成図である。ここに例示する光伝送装置５は、発光素子１２を備えた光送信部１、受光素子２３を備えた光受信部２、及び前記発光素子１２及び受光素子２３を光学的に接続する光伝送媒体３を有する。
光受信部２は、光送信部１の発光素子１２を駆動するバイアス電流を発生させる定電流源２９を備える。
そして光伝送装置５は、さらに、前記バイアス電流を定電流源２９から発光素子１２へ伝送する電気伝送手段３１を有する
【００１２】
発光素子１２は公知のもので良く、具体的にはレーザダイオードが例示できる。
受光素子２３は公知のもので良く、具体的にはフォトダイオードが例示できる。
光伝送媒体３として具体的には、光ファイバ、基板型光導波路等の光通信用光導波路が例示できる。
電気伝送手段３１としては、図示するような有線方式により電流を伝送するための電気伝送媒体、又は無線方式により電流を伝送する手段が例示できる。電気伝送手段３１としては、いずれも公知のものが使用できる。
【００１３】
光送信部１においては、外部からの変調信号を得て、発光素子１２を駆動する。ここで、変調信号とは、バースト信号、連続信号等、いずれでも良く、適宜選択すれば良い。
発光素子１２から光伝送媒体３を通じて光受信部２の受光素子２３に光信号が伝送されると、受光素子２３において受光強度に基づき電流が発生し、これを例えば、トランスインピーダンスアンプ（以下、ＴＩＡと略記することがある）２６において電圧に変換及び増幅する。なお、ＴＩＡ２６を制御するための電力は、ここでは図示を省略するが、外部より供給される。
定電流源２９は、所定の電流を発生し、電気伝送手段３１を通じてこれを光送信部１の発光素子１２に伝送して、発光素子１２を駆動するためのバイアス電流として用いる。このように、発光素子１２は、外部からの変調信号と前記バイアス電流とで駆動されることになる。
なお、図中の実線は情報を伝送するための信号の流れを、点線は光受信部からのバイアス電流の流れを示す。
【００１４】
本発明の光伝送装置は、従来のものとは異なり、例えば、光送信部の発光素子近傍にモニタ用の受光素子、温度検知手段、ＡＧＣ回路等を別途設けたり、光受信部にリミッティングアンプを搭載したりしなくても、定電流源が発生する電流値を適切な値に設定することで、発光素子の光出力強度を長期間に渡り、安定な通信ができるレベルに保持できる。さらに、従来光送信部に設けていた駆動回路も不要となる。
【００１５】
（第２の実施形態）
図２は、本発明の第２の実施形態に係る光伝送装置を例示する概略構成図である。ここに例示する光伝送装置５Ａは、前記第１の実施形態において、固定式の定電流源２９に代わり、可変式の電流源２４を設け、該電流源２４とＴＩＡ２６との間を電気的に接続し、信号を伝送できるようにしたものである。
電流源２４は、ＴＩＡ２６から出力された電圧信号を基に、予め決められた電圧信号に対応した最適な値の電流を発生し、電気伝送手段３１を通じてこれを光送信部１Ａの発光素子１２に伝送して、発光素子１２を駆動するためのバイアス電流として用いる。
【００１６】
光伝送装置５Ａによれば、受光素子２３における受光強度を基に、発光素子１２に最適な駆動電流を伝送するので、発光素子１２の光出力強度を適切な値に保持できる。また、受光強度の大小に対応して駆動電流値を変えるので、過剰に電流を伝送することがなく、消費電力の低減にも有効である。
【００１７】
（第３の実施形態）
図３は、本発明の第３の実施形態に係る光伝送装置を例示する概略構成図である。ここに例示する光伝送装置５Ｂは、前記第２の実施形態において、光受信部２Ａに誤差検出器２８を備えるように構成したものである。
誤差検出器２８は、受光素子２３で受光した光の強度（受光強度）を計測し、これと基準強度との誤差値を算出し、該誤差値に基づいて電流源２４によって発生させるバイアス電流の大きさを制御するものである。誤差検出器２８は、受光強度の計測を常時行うように設定できる。
【００１８】
光伝送装置５Ｂによれば、受光素子２３における受光強度が一定となるように発光素子１２の駆動電流を制御するので、長期間に渡って安定な通信が可能となる。また、発光素子１２又は受光素子２３周辺の温度変化に伴い、これら素子の特性が変化した場合でも、常にＴＩＡ２６における電圧を一定にできる。
【００１９】
（第４の実施形態）
図４は、本発明の第４の実施形態に係る光伝送装置を例示する概略構成図である。ここに例示する光伝送装置５Ｃは、前記第３の実施形態において、光受信部２ＢのＴＩＡ２６と誤差検出器２８との間に平均値算出器２５を備えるように構成したものである。
平均値算出器２５は、受光素子２３で受光した光の強度を計測し、その平均値を算出して出力するものである。平均値算出器２５は、受光強度の計測を常時行うように設定できる。
【００２０】
光伝送装置５Ｃによれば、受光素子２３における受光強度を平均的に取得するようにするので、変調信号の有無や変調速度の上下によらず、安定して受光強度を計測できる。そのため、発光素子１２の発光強度の安定性が向上する。
【００２１】
（第５の実施形態）
図５は、本発明の第５の実施形態に係る光伝送装置を例示する概略構成図である。ここに例示する光伝送装置５Ｄは、前記第３の実施形態において、光送信部１Ａの入力信号を受ける経路にインピーダンス整合器１７を備えるように構成したものである。
インピーダンス整合器１７は固定式のものである。ここで固定式のインピーダンス整合器としては、抵抗が多段に並設され、所望のインピーダンスに合うように複数の抵抗を並列に接続したものが例示できる。また、インピーダンスを変化させることができるものであれば、抵抗を使用していないものでも良い。
【００２２】
光伝送装置５Ｄによれば、光信号の波形劣化が抑制され、発光素子１２や光送信部１Ｂのインピーダンスのずれによる特性劣化を防止できる。また、光送信部１Ｂを接続する基板のインピーダンスが変化する場合にも適用できる。
なお、ここでは、誤差検出器２８が設けられているものについて説明したが、光送信部にインピーダンス整合器１７を備える場合、誤差検出器２８が設けられていなくても、同様の効果が得られる。
【００２３】
（第６の実施形態）
本発明の第６の実施形態に係る光伝送装置は、前記第４の実施形態において、光送信部１Ａの入力信号を受ける経路に、インピーダンス整合器を備えるように構成したものである（図示略）。
インピーダンス整合器は固定式のものである。ここで固定式のインピーダンス整合器としては、抵抗が多段に並設され、所望のインピーダンスに合うように複数の抵抗を並列に接続したものが例示できる。また、インピーダンスを変化させることができるものであれば、抵抗を使用していないものでも良い。
本実施形態によれば、光信号の波形劣化が抑制され、発光素子や光送信部のインピーダンスのずれによる特性劣化を防止できる。また、光送信部を接続する基板のインピーダンスが変化する場合にも適用できる。さらに、平均値算出器とインピーダンス整合器とを併用するので、光信号の直流成分と変調成分が共に安定し、長期に渡り良好な通信品質を確保できる。
【００２４】
（第７の実施形態）
本発明の第７の実施形態に係る光伝送装置は、前記第５の実施形態において、固定式のインピーダンス整合器１７に代わり、可変式のインピーダンス整合器を設けたものである（図示略）。ここで、可変式のインピーダンス整合器としては、電圧等でインピーダンスを制御するものが例示できるが、インピーダンスを変化させることができるものであれば、これに限定されない。
本実施形態においては、第５の実施形態と同様に、誤差検出器２８が設けられていなくても、設けられている場合と同様の効果が得られる。
本実施形態によれば、光送信部に入力される変調信号の変化に対して、最適なインピーダンスを制御できる。また、部品実装時にそれぞれの部品のインピーダンスがばらつくことによる特性劣化も抑制できる。
【００２５】
（第８の実施形態）
本発明の第８の実施形態に係る光伝送装置は、前記第６の実施形態において、固定式のインピーダンス整合器１７に代わり、可変式のインピーダンス整合器を設けたものである（図示略）。ここで、可変式のインピーダンス整合器としては、電圧等でインピーダンスを制御するものが例示できるが、インピーダンスを変化させることができるものであれば、これに限定されない。
本実施形態によれば、光送信部に入力される変調信号の変化に対して、最適なインピーダンスを制御できる。また、部品実装時にそれぞれの部品のインピーダンスがばらつくことによる特性劣化も抑制できる。さらに、平均値算出器とインピーダンス整合器とを併用するので、光信号の直流成分と変調成分が共に安定し、長期に渡り良好な通信品質を確保できる。
【００２６】
前記第５〜第８の実施形態では、光送信部の入力信号を受ける経路にインピーダンス整合器を備えるものについて説明したが、第１の実施形態においても、同様の構成とすることができる。すなわち、ここでは図示を省略するが、前記第１の実施形態において、光送信部１の入力信号を受ける経路にインピーダンス整合器を備えるように構成しても良く、該インピーダンス整合器としては、上記と同様に固定式又は可変式のものを用いることができる。
【００２７】
（第９の実施形態）
図６は、本発明の第９の実施形態に係る光伝送装置を例示する概略構成図である。ここに例示する光伝送装置５Ｅは、前記第３の実施形態において、光受信部２Ｂにインピーダンス整合器２７を備えるように構成したものである。
インピーダンス整合器２７は固定式のものであり、前記第５の実施形態における固定式のインピーダンス整合器１７と同様のものである。
【００２８】
光伝送装置５Ｅによれば、光信号の波形劣化が抑制され、ＴＩＡ２６等、光受信部２Ｄに用いている部品のインピーダンスのずれによる特性劣化を防止できる。また、光受信部２Ｄを接続する基板のインピーダンスが変化する場合にも適用できる。
なお、ここでは、誤差検出器２８が設けられている例を示しているが、誤差検出器２８が設けられていなくても、同様の効果が得られる。
【００２９】
（第１０の実施形態）
本発明の第１０の実施形態に係る光伝送装置は、前記第９の実施形態において、固定式のインピーダンス整合器２７に代わり、可変式のインピーダンス整合器を設けたものである（図示略）。ここで、可変式のインピーダンス整合器としては、前記第７の実施形態におけるものと同様のもので良い。
本実施形態においては、第９の実施形態と同様に、誤差検出器２８が設けられていなくても、設けられている場合と同様の効果が得られる。
本実施形態によれば、光送信部から伝送されてくる変調信号の変化に対して、最適なインピーダンスを制御できる。また、部品実装時にそれぞれの部品のインピーダンスがばらつくことによる特性劣化も抑制できる。
【００３０】
前記第９及び第１０の実施形態では、光受信部のＴＩＡの後段にインピーダンス整合器を備えるものについて説明したが、第１の実施形態においても、同様の構成とすることができる。すなわち、ここでは図示を省略するが、前記第１の実施形態において、光受信部２のＴＩＡ２６の後段にインピーダンス整合器を備えるように構成しても良く、該インピーダンス整合器としては、上記と同様に固定式又は可変式のものを用いることができる。
【００３１】
（第１１の実施形態）
図７は、本発明の第１１の実施形態に係る光伝送装置を例示する概略構成図である。ここに例示する光伝送装置５Ｆは、前記第３の実施形態において、誤差検出器２８と電流源２４との間にローパスフィルタ（以下、ＬＰＦと略記することがある）２１を備えるように構成したものである。
【００３２】
光伝送装置５Ｆによれば、ＬＰＦ２１を用いることで、変調信号として伝送されてきた高周波の電気信号を遮断して、低周波の電気信号だけを通過させ、これを電流源２４から発光素子１２に伝送できるので、ノイズが少ない安定した通信が可能となり、その結果、発光素子１２の発光強度の安定性が向上する。また、後記するように送信部にローパスフィルタを備える場合と比較して、電気伝送手段中を高周波電流が流れなくなるので、他の機器に悪影響を与える原因となるノイズの発生を防止できる。
なお、ここでは、誤差検出器２８が備えられているものについて説明したが、誤差検出器２８が設けられていなくても、同様の効果が得られる。
【００３３】
（第１２の実施形態）
本発明の第１２の実施形態に係る光伝送装置は、前記第４の実施形態において、誤差検出器２８と電流源２４との間にＬＰＦを備えるように構成したものである（図示略）。
本実施形態によれば、平均値算出器２５で高周波の電気信号の周波数を十分低下させた上で、ＬＰＦを用いて低周波の電気信号だけを通過させ、これを電流源２４から発光素子１２に伝送できるので、一層ノイズが少ない安定した通信が可能となり、その結果、発光素子１２の発光強度の安定性が向上する。
【００３４】
（第１３の実施形態）
本発明の第１３の実施形態に係る光伝送装置は、前記第１１の実施形態において、ＬＰＦ２１を、誤差検出器２８と電流源２４との間に代わり、ＴＩＡ２６と誤差検出器２８との間に備えるように構成したものである（図示略）。すなわち、光受信部において、受光素子２３、ＴＩＡ２６、ＬＰＦ２１及び誤差検出器２８を、この順で配置したものである。
本実施形態によれば、第１１の実施形態と同様の効果が得られ、誤差検出器２８が設けられていなくても、設けられている場合と同様の効果が得られる。
【００３５】
（第１４の実施形態）
本発明の第１４の実施形態に係る光伝送装置は、前記第１２の実施形態において、ＬＰＦを、誤差検出器２８と電流源２４との間に代わり、平均値算出器２５と誤差検出器２８との間に備えるように構成したものである（図示略）。すなわち、光受信部において、受光素子２３、ＴＩＡ２６、平均値算出器２５、ＬＰＦ及び誤差検出器２８を、この順で配置したものである。
本実施形態によれば、第１２の実施形態と同様の効果が得られる。
【００３６】
（第１５の実施形態）
図８は、本発明の第１５の実施形態に係る光伝送装置を例示する概略構成図である。ここに例示する光伝送装置５Ｇは、前記第３の実施形態において、光送信部内の電気伝送手段３１と発光素子１２との間にＬＰＦ２１を備えるように構成したものである。
光伝送装置５Ｇによれば、ＬＰＦ２１を用いることで、変調信号として伝送されてきた高周波の電気信号を遮断して、低周波の電気信号だけを電流源２４から光送信部１Ｃ内の発光素子１２に伝送できるので、ノイズが少ない安定した通信が可能となり、その結果、発光素子１２の発光強度の安定性が向上する。
本実施形態においては、誤差検出器２８が設けられていなくても、設けられている場合と同様の効果が得られる。
【００３７】
（第１６の実施形態）
本発明の第１６の実施形態に係る光伝送装置は、前記第４の実施形態において、光送信部１Ａ内の電気伝送手段３１と発光素子１２との間にＬＰＦを備えるように構成したものである（図示略）。
本実施形態によれば、平均値算出器２５で高周波の電気信号の周波数を十分低下させた上で、ＬＰＦを用いて低周波の電気信号だけを電流源２４から光送信部内の発光素子１２に伝送できるので、ノイズが少ない安定した通信が可能となり、その結果、発光素子１２の発光強度の安定性が向上する。
【００３８】
前記第１５及び第１６の実施形態では、電気伝送手段と発光素子との間にＬＰＦを備えるものについて説明したが、第１の実施形態においても、同様の構成とすることができる。すなわち、ここでは図示を省略するが、前記第１の実施形態において、光送信部１内の電気伝送手段３１と発光素子１２との間にＬＰＦを備えるように構成しても良い。このようにすることで、変調信号として伝送されてきた高周波の電気信号を遮断して、低周波の電気信号だけを定電流源２９から光送信部１内の発光素子１２に伝送できる。
【００３９】
（第１７の実施形態）
図９は、本発明の第１７の実施形態に係る光伝送装置を例示する概略構成図である。ここに例示する光伝送装置５Ｈは、前記第３の実施形態において、光送信部への外部からの入力信号が差動入力信号となるように構成したものである。
光送信部１Ｄに入力される差動入力信号は、公知のもので良く、好ましいものとしてＬＶＤＳ信号が例示できる。
光伝送装置５Ｈによれば、差動入力信号を用いることで、ノイズに対する耐性が強い通信が可能となる。
【００４０】
（第１８の実施形態）
本発明の第１８の実施形態に係る光伝送装置は、前記第４の実施形態において、光送信部１Ａへの外部からの入力信号が差動入力信号となるように構成したものである（図示略）。
本実施形態によれば、差動入力信号を用いることで、ノイズに対する耐性が強い通信が可能となる。
【００４１】
前記第１７及び第１８の実施形態では、光送信部への外部からの入力信号が差動入力信号となるように構成したものについて説明したが、前記第１の実施形態においても同様に、光送信部１への外部からの入力信号が差動入力信号となるように構成しても良い（図示略）。この時の差動入力信号は上記と同様である。
【００４２】
（第１９の実施形態）
図１０は、本発明の第１９の実施形態に係る光伝送装置を例示する概略構成図である。ここに例示する光伝送装置５Ｉは、前記第３の実施形態において、光送信部内の電気伝送手段３１と発光素子１２との間に保護回路１４を備えるように構成したものである。
光伝送装置５Ｉによれば、光送信部１Ｅ内の発光素子１２を駆動する電流信号に急激な変化が生じても、発光素子１２が保護回路１４で保護されるので、通信の長期信頼性が向上する。
【００４３】
（第２０の実施形態）
本発明の第２０の実施形態に係る光伝送装置は、前記第４の実施形態において、光送信部１Ａ内の電気伝送手段３１と発光素子１２との間に保護回路を備えるように構成したものである（図示略）。
本実施形態によれば、光送信部内の発光素子１２を駆動する電流信号に急激な変化が生じても、発光素子１２が保護回路１４で保護されるので、通信の長期信頼性が向上する。
【００４４】
前記第１９及び第２０の実施形態では、光送信部内の電気伝送手段と発光素子との間に保護回路を備えるように構成したものについて説明したが、第１の実施形態においても、同様の構成とすることができる。すなわち、ここでは図示を省略するが、前記第一の実施形態において、光送信部１内の電気伝送手段３１と発光素子１２との間に保護回路を備えるように構成しても良い。
【００４５】
（第２１の実施形態）
図１１は、本発明の第２１の実施形態に係る光伝送装置を例示する概略構成図である。ここに例示する光伝送装置５Ｊは、前記第３の実施形態において、光伝送媒体及び電気伝送手段として、これらが一体化された光電気複合ケーブルを有するように構成したものである。
光電気複合ケーブル３５としては、光伝送媒体である光ファイバと、電気伝送手段である電気配線とが複合化されたものが例示できる。
光伝送装置５Ｊは、発光素子１２が受光素子２３及び電流源２４と一つの媒体で結合されているので、取り扱い性が向上し、実装コストが低減できる。
本実施形態においては、誤差検出器２８が設けられていなくても、設けられている場合と同様の効果が得られる。
【００４６】
（第２２の実施形態）
本発明の第２２の実施形態に係る光伝送装置は、前記第４の実施形態において、光伝送媒体及び電気伝送手段として、これらが一体化された光電気複合ケーブルを有するように構成したものである（図示略）。
光電気複合ケーブルとしては、前記第２１の実施形態で挙げたものが例示できる。
本実施形態によれば、取り扱い性が向上し、実装コストが低減できる。
【００４７】
（第２３の実施形態）
図１２は、本発明の第２３の実施形態に係る光伝送装置を例示する概略構成図である。ここに例示する光伝送装置５Ｋは、前記第３の実施形態において、光伝送媒体及び電気伝送手段として、基板上に光導波路及び前記電気伝送手段が設けられた光電気複合配線基板を有するように構成したものである。
光電気複合配線基板３６としてより具体的には、電気伝送手段である電気配線が形成された基板上に、光伝送媒体である光導波路が配置されたものが例示できる。光導波路は特に限定されず、ガラスやプラスチックを主成分とする光ファイバ；誘電体；半導体；高分子等が例示できる。
光伝送装置５Ｋは、発光素子１２が受光素子２３及び電流源２４と一つの媒体で結合されているので、取り扱い性が向上し、実装コストが低減できる。
本実施形態においては、誤差検出器２８が設けられていなくても、設けられている場合と同様の効果が得られる。
【００４８】
（第２４の実施形態）
本発明の第２４の実施形態に係る光伝送装置は、前記第４の実施形態において、光伝送媒体及び電気伝送手段として、基板上に光導波路及び前記電気伝送手段が設けられた光電気複合配線基板を有するように構成したものである（図示略）。
光電気複合配線基板としては、前記第２３の実施形態で挙げたものが例示できる。
本実施形態によれば、取り扱い性が向上し、実装コストが低減できる。
【００４９】
（第２５の実施形態）
図１３は、本発明の第２５の実施形態に係る光伝送装置を例示する概略構成図である。ここに例示する光伝送装置５Ｌは、前記第３の実施形態において、光伝送媒体及び電気伝送手段として、金属を被覆した光導波路を有するように構成したものである。
金属を被覆した光導波路３７としてより具体的には、光伝送媒体である光ファイバの外周に電気伝送手段である金属が被覆されたものが例示できる。ただし、光伝送媒体は光ファイバ以外のものでも良いし、金属は電気伝導度が良好なものであればいずれでも良い。
光伝送装置５Ｌは、発光素子１２が受光素子２３及び電流源２４と一つの媒体で結合されているので、取り扱い性が向上し、実装コストが低減できる。また、例えば、外周が金属で被覆された光ファイバは、形状が変化し難く、通常の光ファイバとは異なり実装時に撓み難いので、安定的な位置合わせが可能である。そのため、かかる光伝送装置は大量生産や低コスト化に有利である。
【００５０】
（第２６の実施形態）
本発明の第２６の実施形態に係る光伝送装置は、前記第４の実施形態において、光伝送媒体及び電気伝送手段として、金属を被覆した光導波路を有するように構成したものである（図示略）。
金属を被覆した光導波路としては、前記第２５の実施形態で挙げたものが例示できる。
本実施形態によれば、取り扱い性が向上し、実装コストが低減できる。また、例えば、外周が金属で被覆された光ファイバは、形状が変化し難く、通常の光ファイバとは異なり実装時に撓み難いので、安定的な位置合わせが可能である。そのため、かかる光伝送装置は大量生産や低コスト化に有利である。
【００５１】
前記第２１〜第２６の実施形態では、光伝送媒体及び電気伝送手段として、これらが一体化された光電気複合ケーブル、基板上に光導波路及び前記電気伝送手段が設けられた光電気複合配線基板又は金属を被覆した光導波路を有するように構成したものについて説明したが、前記第１の実施形態においても、同様の構成とし、発光素子１２が受光素子２３及び定電流源２９と一つの媒体で結合されるようにしても良い。
【００５２】
（第２７の実施形態）
図１４は、本発明の第２７の実施形態に係る光伝送装置を例示する概略構成図である。ここに例示する光伝送装置５Ｍは、前記第２２の実施形態において、少なくとも一部が導電性を有するパッケージで、光送信部及び光受信部がそれぞれ気密封止され、電流源２４、電気伝送手段、発光素子１２が、それぞれのパッケージを通じて電気的に接続されるように構成したものである。具体的には、少なくとも一部が導電性を有するパッケージ９０で光送信部１Ｆが気密封止され、少なくとも一部が導電性を有するパッケージ９１で光受信部２Ｆが気密封止されている。そして、光電気複合ケーブル３５のうち電気伝送手段が、光送信部１Ｆに含まれる発光素子１２と、前記パッケージ９０を通じて電気的に接続されている。また、前記電気伝送手段が、光受信部２Ｆに含まれる電流源２４と、前記パッケージ９１を通じて電気的に接続されている。
パッケージ９０及び９１として、より具体的には、少なくとも一部が金属からなるパッケージが例示できるが、主な材質は特に限定されず、鉄、非鉄金属、貴金属が例示できる。また、用途によっては、樹脂を金属で被覆したパッケージを用いることもできる。さらに、導電性を有する樹脂製のパッケージを用いることもできる。
【００５３】
光伝送装置５Ｍは、光受信部２Ｆから光送信部１Ｆへ、パッケージ９０及び９１並びに電気伝送手段を通じてバイアス電流を伝送するので、光受信部２Ｆ及び光送信部１Ｆに、バイアス電流のための専用配線パターンが不要となり、光伝送装置５Ｍの小型化が実現できる。
なお、ここでは、平均値算出器２５が設けられているものについて説明したが、平均値算出器２５が設けられていなくても、同様の効果が得られる。また、誤差検出器２８及び平均値算出器２５がいずれも設けられていなくても、同様の効果が得られる。
【００５４】
（第２８の実施形態）
図１５は、本発明の第２８の実施形態に係る光伝送装置を例示する概略構成図である。ここに例示する光伝送装置５Ｎは、前記第２４の実施形態において、少なくとも一部が導電性を有するパッケージで、光送信部及び光受信部がそれぞれ気密封止され、電流源２４、電気伝送手段、発光素子１２が、それぞれのパッケージを通じて電気的に接続されるように構成したものである。具体的には、少なくとも一部が導電性を有するパッケージ９０で光送信部１Ｆが気密封止され、少なくとも一部が導電性を有するパッケージ９１で光受信部２Ｆが気密封止されている。そして、光電気複合配線基板３６のうち電気伝送手段が、光送信部１Ｆに含まれる発光素子１２と、前記パッケージ９０を通じて電気的に接続されている。また、前記電気伝送手段が、光受信部２Ｆに含まれる電流源２４と、前記パッケージ９１を通じて電気的に接続されている。
パッケージ９０及び９１としては、前記第２７の実施形態で挙げたものが例示できる。
【００５５】
光伝送装置５Ｎは、光受信部２Ｆから光送信部１Ｆへ、パッケージ９０及び９１並びに電気伝送手段を通じてバイアス電流を伝送するので、光受信部２Ｆ及び光送信部１Ｆに、バイアス電流のための専用配線パターンが不要となり、光伝送装置５Ｎの小型化が実現できる。
なお、ここでは、平均値算出器２５が設けられているものについて説明したが、平均値算出器２５が設けられていなくても、同様の効果が得られる。また、誤差検出器２８及び平均値算出器２５がいずれも設けられていなくても、同様の効果が得られる。
【００５６】
（第２９の実施形態）
図１６は、本発明の第２９の実施形態に係る光伝送装置を例示する概略構成図である。
ここに例示する光伝送装置５Ｐは、前記第２６の実施形態において、少なくとも一部が導電性を有するパッケージで、光送信部及び光受信部がそれぞれ気密封止され、電流源２４、電気伝送手段、発光素子１２が、それぞれのパッケージを通じて電気的に接続されるように構成したものである。具体的には、少なくとも一部が導電性を有するパッケージ９０で光送信部１Ｆが気密封止され、少なくとも一部が導電性を有するパッケージ９１で光受信部２Ｆが気密封止されている。そして、金属を被覆した光導波路３７のうち電気伝送手段が、光送信部１Ｆに含まれる発光素子１２と、前記パッケージ９０を通じて電気的に接続されている。また、前記電気伝送手段が、光受信部２Ｆに含まれる電流源２４と、前記パッケージ９１を通じて電気的に接続されている。
パッケージ９０及び９１としては、前記第２７の実施形態で挙げたものが例示できる。
【００５７】
光伝送装置５Ｐは、光受信部２Ｆから光送信部１Ｆへ、パッケージ９０及び９１並びに電気伝送手段を通じてバイアス電流を伝送するので、光受信部２Ｆ及び光送信部１Ｆに、バイアス電流のための専用配線パターンが不要となり、光伝送装置５Ｐの小型化が実現できる。
なお、ここでは、平均値算出器２５が設けられているものについて説明したが、平均値算出器２５が設けられていなくても、同様の効果が得られる。また、誤差検出器２８及び平均値算出器２５がいずれも設けられていなくても、同様の効果が得られる。
【００５８】
前記第２７〜第２９の実施形態では、光伝送媒体及び電気伝送手段として、これらが一体化されたものを設けた例について説明したが、光伝送媒体及び電気伝送手段が一体化されずに別々に設けられていても良い。
前記第２７〜第２９の実施形態では、少なくとも一部が導電性を有するパッケージで、光送信部及び光受信部がそれぞれ気密封止され、電流源、電気伝送手段、発光素子が、それぞれのパッケージを通じて電気的に接続されるように構成したものについて説明したが、第１の実施形態においても、同様の構成とすることができる。すなわち、ここでは図示を省略するが、前記第一の実施形態において、少なくとも一部が導電性を有するパッケージ９０で光送信部１が気密封止され、少なくとも一部が導電性を有するパッケージ９１で光受信部２が気密封止されており、電気伝送手段が、発光素子１２と前記パッケージ９０を通じて電気的に接続され、さらに定電流源２９と前記パッケージ９１を通じて電気的に接続されるように構成しても良い。ここで、電気伝送手段は上記と同様である。
【００５９】
（第３０の実施形態）
図１７は、本発明の第３０の実施形態に係る光伝送装置を例示する概略構成図である。ここに例示する光伝送装置５Ｑは、前記第３の実施形態において、前記電気伝送手段が、無線方式により電流を伝送する手段であるように構成したものである。
無線方式により電流を伝送する手段３２としては、光受信部２Ｇ内に設けられ、電流源２４で発生させたバイアス電流を電波として発信するための変調器及び第２のアンテナ、並びに光受信部１Ｇ内に設けられ、前記電波を受信してバイアス電流に復調する第１のアンテナ及び復調回路が例示できる。
光伝送装置５Ｑによれば、バイアス電流を伝送するための電気配線が不要になる。
本実施形態においては、誤差検出器２８が設けられていなくても、設けられている場合と同様の効果が得られる。
【００６０】
前記第３０の実施形態では、電気伝送手段が、無線方式により電流を伝送する手段であるように構成したものについて説明したが、前記第１の実施形態においても、同様の構成とすることができる（図示略）。そして、無線方式により電流を伝送する手段は上記と同様であり、光受信部２内に設けられ、定電流源２９で発生させたバイアス電流を電波として発信するための変調器及び第２のアンテナ、並びに光受信部１内に設けられ、前記電波を受信してバイアス電流に復調する第１のアンテナ及び復調回路が例示できる。
【００６１】
本発明の光伝送装置は、ここでまで説明したものに限定されず、さらに一部構成が付加又は削除されたものでも良い。
例えば、光受信部に電流源を備えるもの（例えば、第２の実施形態）においては、誤差検出器、平均値算出器、インピーダンス整合器及びＬＰＦからなる群から選択される任意の二種以上を組み合わせて、光受信部に備えるように構成しても良い。
【００６２】
（その他の実施形態）
ここまでは、光受信部の受光素子が受光した光信号から、バイアス電流を発生させ、これを光送信部の発光素子に伝送して発光素子の発光強度を制御する形式の光伝送装置について説明したが、双方向通信によりフィードバック制御する構成で通信を安定化させることもできる。このような光伝送装置としては、以下のようなものが挙げられ、いずれも、小型化が可能でありながら、双方向通信を可能とするものである。
【００６３】
図１８に例示する光伝送装置５０Ａは、第１の発光素子１２０、第１の受光素子１３０、第１のＴＩＡ１６０、第１の誤差検出器１８０及び第１の電流源１９０を備える第１の光送受信装置１０と、第２の発光素子２２０、第２の受光素子２３０、第２のＴＩＡ２６０、第２の誤差検出器２８０及び第２の電流源２９０を備える第２の光送受信装置２０と、前記第１の発光素子１２０及び第２の受光素子２３０を光学的に接続する第1の光伝送媒体３０と、前記第２の発光素子２２０及び第１の受光素子１３０を光学的に接続する第２の光伝送媒体４０と、を有する光伝送装置５０Ａであって、前記第１のＴＩＡ１６０は、第１の受光素子１３０において受光強度に基づき発生した電流を電圧に変換及び増幅し、前記第１の誤差検出器１８０は、得られた電圧信号に基づいて、第１の受光素子１３０における受光強度を常時計測し、該計測値に基づいて第２の発光素子２２０へ伝送するバイアス電流を制御する電圧信号を出力し、前記第１の電流源１９０は、出力された電圧信号をバイアス電流に変換して、第１の発光素子１２０を駆動し、前記第２のＴＩＡ２６０は、第２の受光素子２３０において受光強度に基づき発生した電流を電圧に変換及び増幅し、前記第２の誤差検出器２８０は、得られた電圧信号に基づいて、第２の受光素子２３０における受光強度を常時計測し、該計測値に基づいて第１の発光素子１２０を発光させるバイアス電圧を制御して出力し、前記第２の電流源２９０は、出力されたバイアス電圧をバイアス電流に変換して、第２の発光素子２２０を駆動することを特徴とする。
【００６４】
第１の発光素子１２０及び第２の発光素子２２０は、図１における発光素子１２と同様のものである。
第１の受光素子１３０及び第２の受光素子２３０は、図１における受光素子２３と同様のものである。
第1の光伝送媒体３０及び第２の光伝送媒体４０は、図１における光伝送媒体３と同様のものである。
第１のＴＩＡ１６０及び第２のＴＩＡ２６０は、図１におけるＴＩＡ２６と同様のものである。
なお、第１のＴＩＡ１６０及び第２のＴＩＡ２６０をそれぞれ制御するための電力は、ここでは図示を省略するが、いずれも外部より供給される。
【００６５】
光伝送装置５０Ａにおいては、外部からの変調信号を得て、第１の発光素子１２０及び第２の発光素子２２０を駆動する。ここで、変調信号とは、バースト信号、連続信号等、いずれでも良く、適宜選択すれば良い。そして上記のように、第１の誤差検出器１８０により、第２の発光素子２２０を発光させるバイアス電圧を制御して、第１の電流源１９０により、第1の光伝送媒体３０を通じてバイアス電流を第２の受光素子２３０に伝送する。同様に、第２の誤差検出器２８０により、第１の発光素子１２０を発光させるバイアス電圧を制御して、第２の電流源２９０により、第２の光伝送媒体４０を通じてバイアス電流を第１の受光素子１３０に伝送する。
光伝送装置５０Ａは、前記第２の実施形態に係る光伝送装置と同様の効果を奏するものである。
なお、ここでは、第１のＴＩＡ１６０及び第１の誤差検出器１８０、第２のＴＩＡ２６０及び第２の誤差検出器２８０が、いずれも互いに直接接続されているものについて説明したが、ＴＩＡと誤差検出器の間に平均値算出器を設けても、同様の効果が得られる。
【００６６】
図１９に例示する光伝送装置５０Ｂは、図１８に例示する光伝送装置５０Ａにおいて、第1の光伝送媒体３０及び第２の光伝送媒体４０に代わり、これらを１本の光伝送媒体にまとめ、１心双方向通信するようにした光伝送媒体３４を用いたものである。光伝送装置５０Ｂは、この点以外については、光伝送装置５０Ａと同様である。光伝送媒体３４としては、光合分波器等を用いたものが例示できる。
このようにすることで、光伝送媒体の数を低減できるので、光伝送装置の一層の小型化が可能であり、取り扱い性も向上する。
なお、ここでは、第１のＴＩＡ１６０及び第１の誤差検出器１８０、第２のＴＩＡ２６０及び第２の誤差検出器２８０が、いずれも互いに直接接続されているものについて説明したが、ＴＩＡと誤差検出器の間に平均値算出器を設けても、同様の効果が得られる。
【００６７】
図２０に例示する光伝送装置５０Ｃは、第１の発光素子１２０、第１の受光素子１３０、第１のトランスインピーダンスアンプ１６０、第１の誤差検出器１８０及び第１の電流源１９０を備える第１の光送受信装置１０と、第２の発光素子２２０、第２の受光素子２３０、第２のトランスインピーダンスアンプ２６０、第２の誤差検出器２８０及び第２の電流源２９０を備える第２の光送受信装置２０と、前記第１の発光素子１２０及び第２の受光素子２３０を光学的に接続する第1の光伝送媒体３０と、前記第２の発光素子２２０及び第１の受光素子１３０を光学的に接続する第２の光伝送媒体４０と、前記第１の電流源１９０及び前記第２の発光素子２２０を電気的に接続する第1の電気伝送媒体３１と、前記第２の電流源２９０及び前記第１の発光素子１２０を電気的に接続する第２の電気伝送媒体４１と、を有する光伝送装置であって、前記第１のトランスインピーダンスアンプ１６０は、第１の受光素子１３０において受光強度に基づき発生した電流を電圧に変換及び増幅し、前記第１の誤差検出器１８０は、得られた電圧信号に基づいて、第１の受光素子１３０における受光強度を常時計測し、該計測値に基づいて第２の発光素子２２０へ伝送するバイアス電流を制御する電圧信号を出力し、前記第１の電流源１９０は、出力された電圧信号をバイアス電流に変換して、第２の発光素子２２０へ伝送し、前記第２のトランスインピーダンスアンプ２６０は、第２の受光素子２３０において受光強度に基づき発生した電流を電圧に変換及び増幅し、前記第２の誤差検出器２８０は、得られた電圧信号に基づいて、第２の受光素子２３０における受光強度を常時計測し、該計測値に基づいて第１の発光素子１２０へ伝送するバイアス電流を制御する電圧信号を出力し、前記第２の電流源２９０は、出力された電圧信号をバイアス電流に変換して、第１の発光素子１２０へ伝送することを特徴とする。
【００６８】
ここに例示する光伝送装置５０Ｃは、フィードバック制御を光信号ではなく電気信号の伝送で行う点以外は、上記光伝送装置５０Ａと同様である。
光伝送装置５０Ｃは、第２の受光素子２３０の受光強度に基づいて第１の発光素子１２０の発光強度を制御し、第１の受光素子１３０の受光強度に基づいて第２の発光素子２２０の発光強度を制御するので、それぞれの制御を独立して行うことができ、光伝送装置５０Ａよりも安定な通信が可能となる。
光伝送装置５０Ｃは、例えば、高速伝送ケーブルの一つの規格であるＵＳＢ（Ｕｎｉｖｅｒｓａｌ  Ｓｅｒｉａｌ  Ｂｕｓ）ケーブル、Ｉｎｆｉｎｉｂａｎｄケーブル、携帯電話の筐体内配線、ゲーム機とディスプレイとの接続用配線、ディスプレイやカメラの映像用配線等の分野で好適に用いることができる。
なお、ここでは、第１のＴＩＡ１６０及び第１の誤差検出器１８０、第２のＴＩＡ２６０及び第２の誤差検出器２８０が、いずれも互いに直接接続されているものについて説明したが、ＴＩＡと誤差検出器の間に平均値算出器を設けても、同様の効果が得られる。
【００６９】
図２１に例示する光伝送装置５０Ｄは、図２０に例示する光伝送装置５０Ｃにおいて、第1の光伝送媒体３０及び第２の光伝送媒体４０に代わり、これらを１本の光伝送媒体にまとめ、１心双方向通信するようにした光伝送媒体３４を用いたものである。光伝送装置５０Ｄは、この点以外については、光伝送装置５０Ｃと同様である。光伝送媒体３４は、光伝送装置５０Ｂの場合と同様のものである。
このようにすることで、光伝送媒体の数を低減できるので、光伝送装置の一層の小型化が可能であり、取り扱い性も向上する。
光伝送装置５０Ｄは、例えば、高速伝送ケーブルの一つの規格であるＵＳＢ（Ｕｎｉｖｅｒｓａｌ  Ｓｅｒｉａｌ  Ｂｕｓ）ケーブル、Ｉｎｆｉｎｉｂａｎｄケーブル、携帯電話の筐体内配線、ゲーム機とディスプレイとの接続用配線、ディスプレイやカメラの映像用配線等の分野で好適に用いることができる。
なお、ここでは、第１のＴＩＡ１６０及び第１の誤差検出器１８０、第２のＴＩＡ２６０及び第２の誤差検出器２８０が、いずれも互いに直接接続されているものについて説明したが、ＴＩＡと誤差検出器の間に平均値算出器を設けても、同様の効果が得られる。
【００７０】
さらに、光受信部の受光素子が受光した光信号からバイアス電流を発生させ、これを光送信部の発光素子に伝送して発光素子の発光強度を制御する形式の光伝送装置を用いて、大容量のデータを伝送するように構成することもできる。このような光伝送装置としては、以下のようなものが例示でき、いずれも安定して大容量のデータを伝送できる上、小型化も可能なものである。
【００７１】
図２２に例示する光伝送装置５００Ａは、前記第４の実施形態に係る光伝送装置５Ｃを４系列並列に備え、さらに４系列の光伝送媒体と４系列の電気伝送手段とが一体化された光電気複合ケーブル７００を備えることを特徴とする。すなわち、光送信部１Ｈと光受信部２Ｈとは、一つの光電気複合ケーブル７００で結合されている。４系列の各々の光伝送装置は、図４に示す第４の実施形態と同様に動作する。光電気複合ケーブル７００としては、光伝送媒体である光ファイバと、電気伝送手段である電気配線とが複合化されたものが例示できる。
【００７２】
光伝送装置５００Ａは、光送信部に駆動回路を設ける必要がないため、その結果、光送信部を小型化できる。また、４系列の発光素子が４系列の受光素子及び電流源と一つの媒体で結合されているので、取り扱い性が向上し、実装コストが低減できる。
光伝送装置５００Ａは、例えば、高速伝送ケーブルの一つの規格であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル、Ｄｉｓｐｌａｙ  ｐｏｒｔケーブル、高速データ転送機器、業務用複写機、ゲーム機とディスプレイとの接続用配線、ディスプレイやカメラの映像用配線等の分野で好適に用いることができる。
【００７３】
図２３に例示する光伝送装置５００Ｂは、図４に例示する光伝送装置５Ｃにおいて、入力信号の後段にデータをシリアル化するシリアライズ用ＩＣ９２と、ＴＩＡの後段にデータをパラレル化するデシリアライズ用ＩＣ９３とを備え、さらに光伝送媒体と電気伝送手段とが一体化された光電気複合ケーブル７１０を備えることを特徴とする。そして、光送信部１Ｉには、外部から複数種類の信号が入力され、光受信部２Ｉからは、外部へ複数種類の信号が出力されるようになっている。
光伝送装置５００Ｂによれば、光伝送媒体と電気伝送手段の数を低減でき、その結果、光電気複合ケーブルの外径を小さくできる。
光伝送装置５００Ｂは、例えば、高速伝送ケーブルの一つの規格であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル、Ｄｉｓｐｌａｙ  ｐｏｒｔケーブル、高速データ転送機器、業務用複写機、ゲーム機とディスプレイとの接続用配線、ディスプレイやカメラの映像用配線等の分野で好適に用いることができる。
【産業上の利用可能性】
【００７４】
本発明は、サーバ・ルータなどの高速データ転送装置、自動車、携帯電話、業務用複写機、ゲーム機といった分野における、比較的短い距離の光通信による情報伝送に利用可能である。
【図面の簡単な説明】
【００７５】
【図１】本発明の第1の実施形態に係る光伝送装置を例示する概略構成図である。
【図２】本発明の第２の実施形態に係る光伝送装置を例示する概略構成図である。
【図３】本発明の第３の実施形態に係る光伝送装置を例示する概略構成図である。
【図４】本発明の第４の実施形態に係る光伝送装置を例示する概略構成図である。
【図５】本発明の第５の実施形態に係る光伝送装置を例示する概略構成図である。
【図６】本発明の第９の実施形態に係る光伝送装置を例示する概略構成図である。
【図７】本発明の第１１の実施形態に係る光伝送装置を例示する概略構成図である。
【図８】本発明の第１５の実施形態に係る光伝送装置を例示する概略構成図である。
【図９】本発明の第１７の実施形態に係る光伝送装置を例示する概略構成図である。
【図１０】本発明の第１９の実施形態に係る光伝送装置を例示する概略構成図である。
【図１１】本発明の第２１の実施形態に係る光伝送装置を例示する概略構成図である。
【図１２】本発明の第２３の実施形態に係る光伝送装置を例示する概略構成図である。
【図１３】本発明の第２５の実施形態に係る光伝送装置を例示する概略構成図である。
【図１４】本発明の第２７の実施形態に係る光伝送装置を例示する概略構成図である。
【図１５】本発明の第２８の実施形態に係る光伝送装置を例示する概略構成図である。
【図１６】本発明の第２９の実施形態に係る光伝送装置を例示する概略構成図である。
【図１７】本発明の第３０の実施形態に係る光伝送装置を例示する概略構成図である。
【図１８】双方向通信によりフィードバック制御する構成で通信を安定化する光伝送装置を例示する概略構成図である。
【図１９】双方向通信によりフィードバック制御する構成で通信を安定化する他の光伝送装置を例示する概略構成図である。
【図２０】双方向通信によりフィードバック制御する構成で通信を安定化する他の光伝送装置を例示する概略構成図である。
【図２１】双方向通信によりフィードバック制御する構成で通信を安定化する他の光伝送装置を例示する概略構成図である。
【図２２】並列通信により大容量のデータ伝送を行う光伝送装置を例示する概略構成図である。
【図２３】並列通信により大容量のデータ伝送を行う他の光伝送装置を例示する概略構成図である。
【図２４】従来の光伝送装置を例示する概略構成図である。
【図２５】従来の他の光伝送装置における光送信部を例示する概略構成図である。
【図２６】従来の他の光伝送装置における光送信部を例示する概略構成図である。
【図２７】従来の他の光伝送装置における光受信部を例示する概略構成図である。
【符号の説明】
【００７６】
１，１Ａ・・・光送信部、１２・・・発光素子、２，２Ａ・・・光受信部、１７，２７・・・インピーダンス整合器、２１・・・ローパスフィルタ、２３・・・受光素子、２４・・・電流源、２５・・・平均値算出器、２６・・・トランスインピーダンスアンプ、２８・・・誤差検出器、２９・・・定電流源、３・・・光伝送媒体、３１・・・電気伝送手段、５，５Ａ・・・光伝送装置、９０，９１・・・パッケージ
【図１】
0005049887.tif 000002
【図２】
0005049887.tif 000003
【図３】
0005049887.tif 000004
【図４】
0005049887.tif 000005
【図５】
0005049887.tif 000006
【図６】
0005049887.tif 000007
【図７】
0005049887.tif 000008
【図８】
0005049887.tif 000009
【図９】
0005049887.tif 000010
【図１０】
0005049887.tif 000011
【図１１】
0005049887.tif 000012
【図１２】
0005049887.tif 000013
【図１３】
0005049887.tif 000014
【図１４】
0005049887.tif 000015
【図１５】
0005049887.tif 000016
【図１６】
0005049887.tif 000017
【図１７】
0005049887.tif 000018
【図１８】
0005049887.tif 000019
【図１９】
0005049887.tif 000020
【図２０】
0005049887.tif 000021
【図２１】
0005049887.tif 000022
【図２２】
0005049887.tif 000023
【図２３】
0005049887.tif 000024
【図２４】
0005049887.tif 000025
【図２５】
0005049887.tif 000026
【図２６】
0005049887.tif 000027
【図２７】
0005049887.tif 000028